(57)【要約】      （修正有）【課題】粘着とミシン縫いによって固定することなく、直接接続部材を介してショルダーベルト本体とフック部材とを接続でき、操作プロセスを簡素化し、ショルダーベルト本体とフック部材との接続箇所を、より美観をよくし、操作をより便利で効率的にする、ショルダーベルト及びそれを応用したゴルフキャディバッグを提供する。【解決手段】ゴルフキャディバッグに用いられるショルダーベルトにおいて、ショルダーベルト本体１と、接続部材と、フック部材３とを含み、前記接続部材の両側には固定位置２１が対称して設けられており、前記ショルダーベルト本体は前記接続部材における固定位置を介して前記フック部材に接続されているショルダーベルトを提供する。【選択図】図１
0003234850.tif 000002
【実用新案登録請求の範囲】
【請求項１】
ゴルフキャディバッグに用いられるショルダーベルトにおいて、ショルダーベルト本体（１）と、接続部材（２）と、フック部材（３）とを含み、前記接続部材（２）の両側には固定位置（２１）が対称して設けられており、前記ショルダーベルト本体（１）は前記接続部材（２）における固定位置（２１）を介して前記フック部材（３）に接続されていることを特徴とする、ショルダーベルト。
【請求項２】
前記接続部材（２）は、前記ショルダーベルト本体（１）と前記フック部材（３）とを係設するための係合溝（２２）を含むことを特徴とする、請求項１に記載のショルダーベルト。
【請求項３】
前記接続部材（２）は一体成型されてなり、前記接続部材（２）は前記ショルダーベルト本体（１）と前記フック部材（３）に套設されていることを特徴とする、請求項１又は２のいずれか１項に記載のショルダーベルト。
【請求項４】
前記固定位置（２１）は外方に突出するボスであり、前記固定位置（２１）には固定穴（２１１）が設けられていることを特徴とする、請求項３に記載のショルダーベルト。
【請求項５】
前記接続部材（２）は個別成型されてなり、前記接続部材（２）は２つ以上の接続カバー（２３）によって構成され、前記接続カバー（２３）はそれぞれ、前記ショルダーベルト本体（１）と前記フック部材（３）の両側に覆設されていることを特徴とする、請求項１又は２のいずれか１項に記載のショルダーベルト。
【請求項６】
前記接続カバー（２３）は互いに対称しており、前記接続カバー（２３）には前記固定位置（２１）が設けられていることを特徴とする、請求項５に記載のショルダーベルト。
【請求項７】
前記固定位置（２１）は、前記接続部材（２）の内部に向けて凹む円錐台であることを特徴とする、請求項６に記載のショルダーベルト。
【請求項８】
前記接続カバー（２３）には、接続用の複数の接続柱（２３１）と前記接続柱（２３１）に対応する複数の接続穴（２３２）が設けられていることを特徴とする、請求項７に記載のショルダーベルト。
【請求項９】
請求項１〜８のいずれか１項に記載のショルダーベルトを含むことを特徴とする、ゴルフキャディバッグ。
【考案の詳細な説明】
【技術分野】
【０００１】
本考案はフィットネス・レジャー器材の分野に関し、特にショルダーベルト及びそれを応用したゴルフキャディバッグに関する。
【背景技術】
【０００２】
従来のゴルフキャディバッグ用ショルダーベルトは、通常ポリウレタン、ポリ塩化ビニル又は生地などの表面材料とベース板が粘着又はミシン縫いによってショルダーベルトの両端に固定されてなるが、このような構造のプロセスは煩雑で、ミシン縫いを利用する場合に縫い目を揃えにくく、全体の美観に影響を与えてしまう。
【考案の概要】
【考案が解決しようとする課題】
【０００３】
本考案は、前記したプロセスが煩雑で全体的な美観がよくないといった問題を克服できる、ショルダーベルト及びそれを応用したゴルフキャディバッグを提供することを目的とする。
【課題を解決するための手段】
【０００４】
前記の目的を実現するために、本考案の解决方案は、
ゴルフキャディバッグに用いられるショルダーベルトにおいて、ショルダーベルト本体と、接続部材と、フック部材とを含み、前記接続部材の両側には固定位置が対称して設けられており、前記ショルダーベルト本体は前記接続部材における固定位置を介して前記フック部材に接続されている、ショルダーベルトである。
【０００５】
さらには、前記接続部材は、前記ショルダーベルト本体と前記フック部材とを係設するための係合溝を含む。
【０００６】
さらには、前記固定位置は、外方に突出するボスであり、前記固定位置には固定穴が設けられている。
【０００７】
さらには、前記接続部材は個別成型されてなり、前記接続部材は２つ以上の接続カバーによって構成され、前記接続カバーはそれぞれ、前記ショルダーベルト本体と前記フック部材の両側に覆設されている。
【０００８】
さらには、前記接続カバーは互いに対称しており、前記接続カバーには前記固定位置が設けられている。
【０００９】
さらには、前記固定位置は、前記接続部材の内部に向けて凹む円錐台である。
【００１０】
さらには、前記接続カバーには、接続用の複数の接続柱と前記接続柱に対応する複数の接続穴が設けられている。
【００１１】
また、本考案の解决方案は、前記いずれか１項に記載のショルダーベルトを含む、ゴルフキャディバッグである。
【００１２】
前記した技術方案を採用する場合、粘着とミシン縫いによって固定することなく、直接接続部材を介してショルダーベルト本体とフック部材とを接続でき、操作プロセスを簡素化し、ショルダーベルト本体とフック部材との接続箇所を、より美観をよくし、操作をより便利で効率的にする。
【図面の簡単な説明】
【００１３】
以下、本考案に係る実施例の技術方案をより明確的に説明するために、実施例にて使用する必要のある図面について、簡単に説明する。下記の説明における図面は単なる本考案の幾つかの実施例のためのものに過ぎず、当業者にとって、進歩性のある労働を費やすことなく、これらの図面を基にその他の図面を取得することもできる。
【００１４】
【図１】本考案に係る実施例１によるショルダーベルトの立体分解図である。
【図２】本考案に係る実施例１によるショルダーベルトの組立模式図である。
【図３】本考案に係る実施例１によるショルダーベルトの正面図である。
【図４】本考案に係る実施例１によるショルダーベルトの接続部材の上面図である。
【図５】本考案に係る実施例１によるショルダーベルトの接続部材の正面図である。
【図６】図５のＢ−Ｂ線に沿う断面図である。
【図７】本考案に係る実施例２によるショルダーベルトの接続カバーの正面図である。
【図８】本考案に係る実施例２によるショルダーベルトの接続カバーの下面図である。
【図９】図７のＤ−Ｄ線に沿う断面図である。
【考案を実施するための形態】
【００１５】
以下、本考案の目的、技術方案及びメリットをより理解しやすくするために、本考案を図面及び実施例により、さらに詳細的に説明する。ここで説明する具体的な実施例は、本考案を解釈するためのものに過ぎず、本考案を限定することが意図されないことは理解すべきである。
【実施例１】
【００１６】
図２又は図３に示すように、ゴルフキャディバッグに用いられるショルダーベルトにおいて、ショルダーベルト本体１と、接続部材２と、フック部材３とを含み、接続部材２の両側には固定位置２１が対称して設けられており、前記接続部材２は、前記固定位置２１を介して前記ショルダーベルト本体１とフック部材３とを接続するショルダーベルトは、接続部材２によって当該ショルダーベルト本体１とフック部材３とを接続することで、より効率よく迅速に一つの全体として接続され、接続済みのショルダーベルトは、より美観がよくなるとともに、プロセス時間が短縮されるようになる。即ち、接続部材２によってショルダーベルト本体１とフック部材３とを接続すればよく、その接続方式としては、スナップ、隠しスナップあるいはミシン縫いによってショルダーベルト本体１とフック部材３とを接続するが、接続はこれらの３種類の方式に制限されない。本実施例においてはスナップによって接続する。
【００１７】
図４又は図６に示すように、さらには、当該接続部材２は、当該ショルダーベルト本体１とフック部材３とを係設するための係合溝２２をさらに含み、当該係合溝２２は、当該ショルダーベルト本体１及びフック部材３と隙間をもって設けられ、ショルダーベルト本体１とフック部材３との接続箇所を移動可能であることにより、ショルダーベルト全体の柔軟性を向上させる。
【００１８】
図４に示すように、さらには、前記接続部材２は一体成型されてなり、前記接続部材２は前記ショルダーベルト本体１と前記フック部材３に套設され、接続部材２の中心は中空であり、その係合溝２２の中心はフック部材３を通過でき、かつショルダーベルト本体１の頭部を通過してそこに固定して引っかかることができる。即ち、接続部材２の一端はフック部材３に接続され、他端はショルダーベルト本体１に接続され、接続部材２の両側における固定位置２１を介してショルダーベルト本体１とフック部材３とが接続されている。このような方式によって、接続がより効率よく迅速になり、かつ美観がよりよくなる。
【００１９】
図４又は図５に示すように、さらには、前記固定位置２１は外方に突出するボスであり、当該ボスには固定穴２１１が設けられており、固定ネジ又は固定部材が当該固定穴２１１を通過することによって、ショルダーベルト本体１とフック部材３とが固定される。当該ボスにおける固定穴２１１によって、固定効果はより迅速かつ良好になり、当該ショルダーベルト本体１がフック部材３から脱離することを防止することができる。
【実施例２】
【００２０】
実施例２と実施例１は、概略的な構造が同じであるが、差異点は、実施例２における接続部材２が個別成型されてなることにある。図１に示すように、接続部材２は、２つ以上に分割された接続カバー２３によって構成されてもよい。前記接続カバー２３はそれぞれ、前記ショルダーベルト本体１と前記フック部材３の両側に覆設され、接続カバー２３を組み合わせてショルダーベルト本体１とフック部材３の両端に係設されると、ショルダーベルト本体１とフック部材３は当該係合溝２２によって囲まれている。このような構造によって、套設はより便利で効率的になり、全体的な美観もよりよくなる。
【００２１】
図１に示すように、さらには、本実施例２において、２つの接続カバー２３が覆設され、２つの接続カバー２３を一体として固定することが最も好ましい。ショルダーベルト全体がより対称になるとともに、美観を持たせるようになるために、当該２つの接続カバー２３を互いに中心対称にする。当該２つの接続カバー２３のいずれにも前記固定位置２１が設けられており、２つの接続カバー２３が接続される場合、当該固定位置２１を介して固定する。実施例２における固定方式は実施例１と類似し、いずれも固定ネジ又は固定部材が当該固定穴２１１を通過することによって固定するものである。
【００２２】
図７又は図８に示すように、さらには、前記固定位置２１は前記接続部材２の内部に向けて凹む円錐台であり、当該固定位置２１の形状は実施例１と異なっているが、このような方式を採用すれば、当該固定ネジ又は固定部材の上表面は完全に当該円錐台に置かれることができ、固定ネジ又は固定部材が引っかかれて抜けてしまうことを回避し、ショルダーベルト本体１とフック部材３との固定効果をより良好にすることができる。
【００２３】
図８又は図９に示すように、さらには、前記接続カバー２３には接続用の複数の接続柱２３１が設けられており、本実施例２において、接続カバー２３の側角に接続柱２３１が設けられており、接続カバー２３ごとに２つの接続柱２３１が設けられており、当該２つの接続柱２３１は同じ側に位置し、他側には２つの接続穴２３２が設けられており、当該接続穴２３２は別の接続カバー２３に設けられている接続柱２３１に対応する。このような方式によって、接続がより安定化され、抜けにくくなる。
【００２４】
なお、組立中に、２つの接続カバー２３はそれぞれ、当該ショルダーベルト本体１とフック部材３の両端に位置し、スナップもしくはミシン縫いによって接続して固定するが、固定はこれらの２種類の構造に制限されない。
【実施例３】
【００２５】
ゴルフキャディバッグは、実施例１又は実施例２におけるショルダーベルトを含み、ショルダーベルトの両端はそれぞれバッグの両端に接続されている。
【００２６】
上記は単なる本考案の好ましい実施例に過ぎず、本考案を制限するためのものではない。本考案の精神と原則の範囲内で行われる修正、等価置換又は改良などは、全て本考案の保護範囲内に含まれるべきである。
【図１】
0003234850.tif 000003
【図２】
0003234850.tif 000004
【図３】
0003234850.tif 000005
【図４】
0003234850.tif 000006
【図５】
0003234850.tif 000007
【図６】
0003234850.tif 000008
【図７】
0003234850.tif 000009
【図８】
0003234850.tif 000010
【図９】
0003234850.tif 000011